(57)【要約】【課題】  車線変更と方向転換とを区別して報知する。【解決手段】  複数の点灯ランプ１５に交差して、点灯ランプ１５の並設方向の途中の部位から複数の縦点灯ランプ１６を上側に向けて並設し、車線更のときに、左側、右側の方向指示ランプ５の縦点灯ランプ１６を、下から上に向けて流れるように点灯させ、車両が同方向にそのまま走行することを視認させ、右左折等の方向転換のときの表示との区別を明確に行う。【選択図】図１
2016124503.tif 000002
【特許請求の範囲】
【請求項１】
車両の後部に備えられ、車両の幅方向に並設される複数の点灯ランプと、
前記複数の点灯ランプの並設方向に対して交差する方向に並設される複数の第２点灯ランプと、
前記車両の方向転換、車線変更の意思を表示する操作に応じて、前記複数の点灯ランプを順次点滅させると共に、前記複数の第２点灯ランプを点灯制御する点灯制御手段とを備えた
ことを特徴とする車両用方向指示装置。
【請求項２】
請求項１に記載の車両用方向指示装置において、
前記複数の点灯ランプ、及び、前記複数の第２点灯ランプは、
ランプ群として、前記車両の幅方向の両側に備えられ、
前記点灯制御手段は、
車線変更操作の意思を表示する操作により、前記車両の両側の前記第２点灯ランプを点灯させる
ことを特徴とする車両用方向指示装置。
【請求項３】
請求項１もしくは請求項２に記載の車両用方向指示装置において、
前記複数の第２点灯ランプは、前記複数の点灯ランプの並列方向に対して直交する方向に延びて配されている
ことを特徴とする車両用方向指示装置。
【請求項４】
請求項１から請求項３のいずれか一項に記載の車両用表示装置において、
前記点灯ランプ、及び、前記第２点灯ランプは、発光ダイオードである
ことを特徴とする車両用方向指示装置。
【発明の詳細な説明】
【技術分野】
【０００１】
本発明は、車両後部に備えられ、車両の走行方向を表示する車両用方向指示装置に関する。
【背景技術】
【０００２】
車両後部の左右両側には、車両の制動をランプの点灯により表示すると共に、右左折等の車両の方向転換、走行車線を変更する車線変更をランプの点滅により表示する車両用方向指示装置（方向指示ランプ装置）が備えられている。方向転換や、車線変更の際には、運転者が操作レバーを操作することにより方向転換や、車線変更の意思を方向指示ランプ装置のランプの点滅により表示させるようになっている。
【０００３】
方向転換や、車線変更の表示として、複数個のランプを順次点滅さる方向指示ランプ装置が提案されている（特許文献１）。近年では、車幅方向に一列に並んだ発光ダイオード（ＬＥＤ）を流れるように点灯させて（光らせて）、車両の移動方向を視認できる方向指示ランプ装置が提案されている。複数個のランプを順次点滅させてランプを流れるように光らせることにより、制動の表示とは別に、右左折等の方向転換や、車線変更を確実に認識させることができる。
【０００４】
従来の方向指示ランプ装置は、車幅方向に一列に並んだ複数個のランプにより構成されているため、車幅方向にランプを流れるように点灯させ、車両の左右方向への移動を報知することができる。しかし、一般的な方向指示ランプ装置では、右左折等の車両の方向転換、及び、走行車線を変更する車線変更を同じ表示態様で報知するため、方向転換と車線変更とを明確に区別することができないのが現状であった。
【先行技術文献】
【特許文献】
【０００５】
【特許文献１】実開平６−２０１３８号公報
【発明の概要】
【発明が解決しようとする課題】
【０００６】
本発明は上記状況に鑑みてなされたもので、右左折等の方向転換と走行車線を変更する車線変更とを区別して報知することができる車両用方向指示装置を提供することを目的とする。
【課題を解決するための手段】
【０００７】
上記目的を達成するための請求項１に係る本発明の車両用方向指示装置は、車両の後部に備えられ、車両の幅方向に並設される複数の点灯ランプと、前記複数の点灯ランプの並設方向に対して交差する方向に並設される複数の第２点灯ランプと、前記車両の方向転換、車線変更の意思を表示する操作に応じて、前記複数の点灯ランプを順次点滅させると共に、前記複数の第２点灯ランプを点灯制御する点灯制御手段とを備えたことを特徴とする。
【０００８】
請求項１に係る本発明では、複数の点灯ランプに交差して複数の第２点灯ランプを備えたので、車線変更の時に第２点灯ランプを点灯させることができる。このため、右左折等の方向転換のときの表示との区別を明確に行い、右左折等の方向転換と、走行車線を変更する車線変更とを、区別して報知することが可能になる。
【０００９】
第２点灯ランプは、順次点滅させたり、一斉に点灯させたりすることが可能であり、また、第２点灯ランプとして、複数の点灯ランプの並設方向に対して交差する方向に延びる一つの点灯ランプで構成することも可能である。
【００１０】
そして、請求項２に係る本発明の車両用方向指示装置は、請求項１に記載の車両用方向指示装置において、前記複数の点灯ランプ、及び、前記複数の第２点灯ランプは、ランプ群として、前記車両の幅方向の両側に備えられ、前記点灯制御手段は、車線変更操作の意思を表示する操作により、前記車両の両側の前記第２点灯ランプを点灯させることを特徴とする。
【００１１】
請求項２に係る本発明では、車両の幅方向の両側にランプ群を備えたので、左右の車線変更の意思表示を明確にすることができ、車線変更しない側では、第２点灯ランプが点灯し、複数の点灯ランプは流れるように点灯しないので、斜め後ろを走行している車両に対して、反対側に車線変更することを認識させることができる。
【００１２】
また、請求項３に係る本発明の車両用方向指示装置は、請求項１もしくは請求項２に記載の車両用方向指示装置において、前記複数の第２点灯ランプは、前記複数の点灯ランプの並列方向に対して直交する方向に延びて配されていることを特徴とする。
【００１３】
請求項３に係る本発明では、第２点灯ランプは、複数の点灯ランプの並列方向に直交して延びているので、横方向と上方向にランプを点灯させることができ、方向転換と車線変更との区別をより明確に行うことができる。
【００１４】
また、請求項４に係る本発明の車両用方向指示装置は、請求項１から請求項３のいずれか一項に記載の車両用表示装置において、前記点灯ランプ、及び、前記第２点灯ランプは、発光ダイオードであることを特徴とする。
【００１５】
請求項４に係る本発明では、発光ダイオードを順次点滅させることで、点灯ランプ及び、第２点灯ランプ（表示ランプ）を流れるように光らせることができる。
【発明の効果】
【００１６】
本発明の車両用表示装置は、車線変更のときにのみ、車速に応じた流れの速さで表示ランプを流れるように点灯させることが可能になる。
【図面の簡単な説明】
【００１７】
【図１】本発明の一実施例に係る車両用方向指示装置を備えた車両の外観図である。
【図２】ステアリングホイール周りの外観図である。
【図３】本発明の一実施例に係る車両用表示装置のブロック構成図である。
【図４】点灯ランプの動作説明図である。
【図５】本発明の一実施例に係る車両用方向指示装置の処理の一例のフローチャートである。
【発明を実施するための形態】
【００１８】
図１には本発明の一実施例に係る車両用方向指示装置をテールランプ装置に適用した際に車両を後方から見た外観状況、図２には操作レバーを説明するためのステアリングホイール周りの外観状況、図３にはテールランプ装置を説明するブロック構成、図４にはテールランプ装置における方向指示ランプの動作説明、図５には本発明の一実施例に係る車両用方向指示装置の処理の一例の流れを示してある。
【００１９】
図１に示すように、車両１の後部のトランクリッド２の両脇には、車両用方向指示装置としてのテールランプ装置３が備えられている。テールランプ装置３には、制動時にブレーキペダルの操作に連動して点灯する制動ランプ４が備えられている。そして、右左折時等の方向転換、車線変更の際に、操作レバー（後述する）が操作された時に点灯する方向指示ランプ５が備えられている。
【００２０】
図２に示すように、ステアリングホイール１１のステアリングシャフトの脇（例えば右側）には、操作レバー１２が備えられている。操作レバー１２は、車両の方向転換の意思を表示するための操作を行う機能を有している。即ち、操作レバー１２を反時計回り方向（上方）に傾動角度（所定角度）α１で傾動操作することにより、左側のターンスイッチがオンになって左側の方向指示ランプ５が点灯し、操作レバー１２を時計回り方向（下方）に傾動角度α１で傾動操作することにより、右側のターンスイッチがオンになって右側の方向指示ランプ５が点灯する。ステアリングホイール１１を元に戻すことにより、操作レバー１２は元の位置に戻されてターンスイッチがオフにされる。
【００２１】
操作レバー１２は、車両の走行車線の変更（車線変更）の意思を表示するための操作を行う機能を有している（車線変更操作手段）。即ち、操作レバー１２を反時計回り方向（上方）に傾動角度α１よりも小さな角度の傾動角度（所定角度）α２で傾動操作することにより、操作している間、左側の変更スイッチがオンになって左側の方向指示ランプ５が点灯する。また、操作レバー１２を反時計回り方向（上方）に傾動角度（所定角度）α２で傾動操作して直ぐに離すことにより、操作レバー１２は初期位置へ自動復帰すると共に、左側の変更スイッチがオンになって左側の方向指示ランプ５が所定期間点灯する。
【００２２】
操作レバー１２を時計回り方向（下方）に傾動角度（所定角度）α２で傾動操作することにより、操作している間、右側の変更スイッチがオンになって右側の方向指示ランプ５が点灯する。また、操作レバー１２を時計回り方向（下方）に傾動角度（所定角度）α２で傾動操作して直ぐに離すことにより、操作レバー１２は初期位置へ自動復帰すると共に、右側の変更スイッチがオンになって右側の方向指示ランプ５が所定期間点灯する。
【００２３】
方向指示ランプ５は、車両の幅方向に並設される複数の点灯ランプ１５（発光ダイオード：ＬＥＤ）を備えている。つまり、左右のテールランプ装置３には、それぞれ複数の点灯ランプ１５がランプ群として備えられている。複数の点灯ランプ１５は、制御装置の指示で点灯制御される。また、複数の点灯ランプ１５に交差する方向（例えば直交する方向）である上下方向には、第２点灯ランプとして、点灯ランプ１５の並設方向の途中の部位から上側に延びて複数の縦点灯ランプ１６が並設されている。
【００２４】
尚、縦点灯ランプ１６は、点灯ランプ１５の並設方向の途中の部位から上側に延びて設けられているが（逆Ｔ字型）、下側に延びる状態に設ける（Ｔ字型）ことも可能である。また、点灯ランプ１５の並設方向の端部の部位から上側に延びる状態に設けること（Ｌ字型）も可能である。
【００２５】
複数の点灯ランプ１５、及び、複数の縦点灯ランプ１６は、制御装置２１からの指令により所定の状態で点灯制御される。即ち、図３に示すように、制御装置２１には、車速の情報、操作レバー１２の操作情報（ターンスイッチ、変更スイッチのオン、オフ情報）が入力され、制御装置２１からは複数の点灯ランプ１５に点滅の指令が出力される。
【００２６】
制御装置２１には点灯制御手段２２が備えられ、点灯制御手段２２により、複数の点灯ランプ１５を車両１の内側から外側に順次点滅させて、複数の点灯ランプ１５を左右に流れるように点灯させる。また、複数の縦点灯ランプ１６を下から上に向けて順次点滅させ、複数の縦点灯ランプ１６を上向きに流れるように点灯させる。制御装置２１には、点灯ランプ１５及び、縦点灯ランプ１６の点灯の速さを設定する点灯設定手段２３が備えられ、点灯設定手段２３により一定の速度で点灯するように制御される。
【００２７】
そして、制御装置２１には、操作レバー１２の変更スイッチの情報（車線変更操作手段の操作の検出情報）、及び、車速の情報が入力される点灯速度設定手段２４が備えられている。操作レバー１２が傾動角度α２で傾動操作されることで、変更スイッチがオンになって、車線変更の際の操作レバー１２の操作が検出される。
【００２８】
車線変更の際の操作レバー１２の操作が検出された場合、このときにのみ（変更スイッチがオンになったときにのみ）、点灯速度設定手段２４により、車速に応じて点灯ランプ１５及び、縦点灯ランプ１６（もしくは点灯ランプ１５だけ）の点灯の流れの速さが設定される。例えば、車速が速いときには遅いときに比べて、点灯ランプ１５及び、縦点灯ランプ１６（点灯ランプ１５）の点灯の流れが速くなるように流れの速度が設定される。
【００２９】
車線変更の際の操作レバー１２の操作が検出されたとき、操作方向の点灯ランプ１５及び、縦点灯ランプ１６（点灯ランプ１５）の点灯の流れが速くなるように流れの速度が設定されるが、このとき、反操作方向の縦点灯ランプ１６が点灯される。反操作方向の縦点灯ランプ１６は流れるように点灯されるが、車速に応じて流れの速さが設定される。この場合、全ての縦点灯ランプ１６を一斉に点灯させたり、一斉に点滅させたりすることも可能である。
【００３０】
操作レバー１２が傾動角度α１で傾動操作されてターンスイッチがオンになった場合、即ち、右左折等の方向転換の場合、複数の点灯ランプ１５だけが、車両の速度が速いか遅いかに拘わらず、予め設定された速度で左もしくは右に流れるように点灯される。
操作レバー１２が傾動角度α２で傾動操作されると、例えば、反時計回りに傾動角度α２で傾動操作されると、左側の車線に車線変更することになる。
【００３１】
左側の車線に車線変更する場合、図４（ａ）（ｂ）（ｃ）（ｄ）（ｅ）に示すように、左側の方向指示ランプ５の複数の点灯ランプ１５が、内側（右側）から順に外側（左側）に向けて点灯していき、点灯ランプ１５を図中右から左に流れるように光らせて流れるように点灯する状態にする。同時に、もしくは、点灯ランプ１５の点灯に連続して、左側、右側の方向指示ランプ５の縦点灯ランプ１６が、下から上に向けて点灯していき、縦点灯ランプ１６を図中下から上に流れるように光らせて点灯する状態にする。右側の方向指示ランプ５の点灯ランプ１５は消灯状態が維持されている。
【００３２】
車線変更のときに、左側、右側の方向指示ランプ５の縦点灯ランプ１６が、下から上に向けて流れるように点灯する状態にされるため、車両が同方向にそのまま走行することを視認させることができる車線変更の表示と、右左折等の方向転換のときの表示との区別を明確に行うことができる。
【００３３】
図５に基づいて上述した点灯ランプ１５、縦点灯ランプ１６の点灯の動作の流れを説明する。
処理がスタートすると、ステップＳ１で車速が読み込まれ、ステップＳ２で車線変更の状態に操作レバー１２が操作されているか否かが判断される。即ち、左側もしくは右側の変更スイッチがオンになっているか否かが判断される。ステップＳ２で操作レバー１２が車線変更の状態に操作されていない、即ち、左側もしくは右側の変更スイッチがオンになっていない（オフになっている）と判断された場合、車線変更が行われない状況であるため、ステップＳ３で、複数の点灯ランプ１５が予め設定された速度で左もしくは右に流れるように点灯されるように、通常の点灯制御が実施できる状態にし、エンドとなる。
【００３４】
ステップＳ２で操作レバー１２が車線変更の状態に操作されている、即ち、左側もしくは右側の変更スイッチがオンになっていると判断された場合、左側もしくは右側の車線に車線変更することになるため、ステップＳ４で、車速に応じて点灯ランプ１５、及び、縦点灯ランプ１６の点灯の流れの速さが設定される。つまり、複数の点灯ランプ１５、及び、複数の縦点灯ランプ１６が、車速に応じた流れの速さで順次点灯するようにされる。例えば、複数の点灯ランプ１５、及び、複数の縦点灯ランプ１６が、車速に基づいて、車速が速くなるほど、点灯の流れの速さが速くされる。
【００３５】
ステップＳ５で操作レバー１２が戻されたか否か、即ち、操作レバー１２が戻されて変更スイッチがオフになったか否かが判断され、変更スイッチがオフになっていないと判断された場合、ステップＳ４の制御が継続される。ステップＳ５で操作レバー１２が戻されて変更スイッチがオフになったと判断された場合、車線変更が終了したのでエンドとなる。
【００３６】
従って、操作レバー１２が車線変更の状態に操作されたときにのみ（車線変更時にのみ）、車速に応じて点灯ランプ１５、及び、縦点灯ランプ１６の点灯の流れの速さが設定されるため、どのような車速で車線変更を行う状況にあるのかを認識させることができ、例えば、高速走行時には点灯の流れを速くして高速状態で車線変更が実施される可能性を報知することができる。また、右左折等の方向転換のときの角度よりも小さな所定角度での操作レバー１２の操作により、車線変更を判断することができる。
【００３７】
上述した車両用方向指示装置は、複数の点灯ランプ１５に交差して、点灯ランプ１５の並設方向の途中の部位から複数の縦点灯ランプ１６を上側に向けて並設し、車線更のときに、左側、右側の方向指示ランプ５の縦点灯ランプ１６を、下から上に向けて流れるように点灯させるようにしたので、車両が同方向にそのまま走行することを視認させることができ、右左折等の方向転換のときの表示との区別を明確に行うことができる。
【００３８】
また、車両の幅方向の両側にランプ群を備え、車線変更しない側では、縦点灯ランプ１６が点灯し、複数の点灯ランプ１５は流れるように点灯しない状態にしているので、斜め後ろを走行している車両に対して、反対側に車線変更することを認識させることができる。そして、車線変更のときにのみ、車速に応じた流れの速さで複数の点灯ランプ１５、縦点灯ランプ１６を流れるように点灯させているので、車速に対応して車線変更の挙動を報知することが可能になる。
【００３９】
尚、点灯ランプ１５、縦点灯ランプ１６として発光ダイオード（ＬＥＤ）を例に挙げたが、電球等、他のランプを用いる事も可能である。
【産業上の利用可能性】
【００４０】
本発明は、車両後部に備えられ、車両の走行方向を表示する車両用方向指示装置の産業分野で利用することができる。
【符号の説明】
【００４１】
１  車両
２  トランクリッド
３  テールランプ装置
４  制動ランプ
５  方向指示ランプ
１１  ステアリングホイール
１２  操作レバー
１５  点灯ランプ
２１  制御装置
２２  点灯制御手段
２３  点灯設定手段
２４  点灯速度設定手段
【図１】
2016124503.tif 000003
【図２】
2016124503.tif 000004
【図３】
2016124503.tif 000005
【図４】
2016124503.tif 000006
【図５】
2016124503.tif 000007